(57)【特許請求の範囲】
【請求項１】
防水下地に固定された多数の固定具の上に敷設された防水シートの上方から、前記固定具を電磁誘導によって加熱することで前記防水シートを前記固定具に溶着する携帯用電磁誘導加熱装置であって、
充電可能なバッテリと、
電磁加熱コイルユニットと、
前記バッテリからの電力を用いて前記電磁加熱コイルユニットに電流を供給する給電部と、
前記防水シートと前記固定具との溶着箇所または前記溶着箇所の周辺領域あるいはその両方の温度を測定して温度検出信号を出力する温度検出ユニットと、
前記温度検出信号に基づいて前記電磁加熱コイルユニットによる誘導加熱の強度及び時間を含む加熱挙動を算定する加熱挙動算定部と、
前記加熱挙動に基づいて前記電磁加熱コイルユニットによる電磁誘導加熱を制御する加熱制御部と、を備え、
前記温度検出ユニットには、前記防水シートの周辺の環境温度を検出して、前記温度検出信号として出力する環境温度検出器が含まれている携帯用電磁誘導加熱装置。
【請求項２】
加熱対象物を電磁誘導によって加熱する携帯用電磁誘導加熱装置であって、
充電可能なバッテリと、
電磁加熱コイルユニットと、
前記バッテリからの電力を用いて前記電磁加熱コイルユニットに電流を供給する給電部と、
前記加熱対象物または前記加熱対象物の周辺領域あるいはその両方の温度を測定して温度検出信号を出力する温度検出ユニットと、
前記温度検出信号に基づいて前記電磁加熱コイルユニットによる誘導加熱の強度及び時間を含む加熱挙動を算定する加熱挙動算定部と、
前記加熱挙動に基づいて前記電磁加熱コイルユニットによる電磁誘導加熱を制御する加熱制御部と、
前記電磁加熱コイルユニットを冷却する冷却機構と、
前記冷却機構を制御する冷却制御部と、を備え、
前記電磁加熱コイルユニットの加熱コイルを載置するとともに前記加熱対象物に向き合う形状を有する基台に冷却通路が形成され、前記冷却機構は冷却ファンを備え、前記冷却ファンからの冷却風は、前記加熱コイルを通り抜けた後に、前記冷却通路に流れ込むように構成されている携帯用電磁誘導加熱装置。
【請求項３】
前記加熱対象物はシート材と接合する面状接着層を有する固定具であり、前記電磁加熱コイルユニットが前記シート材を挟んで前記固定具の面状接着層に対向可能な接触面を有し、
前記温度検出ユニットには、前記シート材の表面温度を検出する表面温度検出器が含まれている請求項２に記載の携帯用電磁誘導加熱装置。
【請求項４】
前記加熱挙動は時間経過とともに変化する誘導加熱の強度であり、前記加熱制御部には前記温度検出信号から前記加熱挙動を導出するテーブルが設定されている請求項１から３のいずれか一項に記載の携帯用電磁誘導加熱装置。
【請求項５】
前記バッテリと前記電磁加熱コイルユニットと前記給電部と制御ユニットとがハウジングを通じて一体的に組みつけられている請求項１から４のいずれか一項に記載の携帯用電磁誘導加熱装置。
【発明の詳細な説明】
【技術分野】
【０００１】
本発明は、熱対象物を電磁誘導によって加熱する携帯用電磁誘導加熱装置に関する。
【背景技術】
【０００２】
特許文献１には、導体に誘導電流を流してジュール熱により導体を発熱させ、発熱された導体により接着剤を加熱する携帯用電磁誘導加熱装置が開示されている。この加熱装置は、電力を供給する電源ユニットと、電源ユニットからの供給電流を高周波電流に変換する高周波発生回路が設けられた加熱ヘッドと、加熱ヘッドにおいて生成される高周波電流に対し抵抗調整された直列コンデンサおよび加熱用誘導コイルを備えている。その際、高周波発生回路とＬＣ回路とを一体化して組み込んでいる加熱ヘッドは、電源ユニットと別体構成で分離されており、互いにケーブルで接続されている。この特許文献には、電源ユニットとして、商用電源に代えてバッテリを利用することできると単に記載されている。
【０００３】
特許文献２には、導電性基体と熱可塑性樹脂層とからなる固定部材に防水シートを接合するための装置が開示されている。この装置は、シートを介して前記導電性基体を電磁誘導により加熱する加熱手段、シートの温度を測定する温度測定手段、シートの温度に応じて前記加熱手段による加熱時間を設定する加熱時間設定手段を備えており、導電性基体の加熱による熱可塑性樹脂層の熱溶着により、屋上床面の所定位置に設置された固定部材にシートを接合する。その際、加熱時間設定手段が、予め関連づけられて記録されている複数の温度値と加熱時間の組み合わせから、温度測定手段によって測定されたシートの温度に対応する加熱時間を選択して、加熱時間を設定する。
【先行技術文献】
【特許文献】
【０００４】
【特許文献１】特開２００５−１９３７４号公報
【特許文献２】国際公開ＷＯ２０１３／１０８８２０号公報
【発明の概要】
【発明が解決しようとする課題】
【０００５】
電源ユニットとしてバッテリを用いる場合、バッテリを長持ちさせるために、誘導加熱に必要とされる電力をできるだけ低減させることが重要となる。このためには、加熱対象物を無駄なく最適に加熱する必要があり、特許文献２のように加熱対象物の表面温度に基づいて単に加熱時間だけを設定するだけでは不十分である。
このことから、本発明の課題は、加熱対象物に対する加熱を加熱時間だけで制御するのではなく、加熱対象物の状況に合わせた最適な加熱挙動を行うことで、加熱に必要な消費電力を低減させて、バッテリで駆動する携帯用電磁誘導加熱装置を提供することである。
【課題を解決するための手段】
【０００６】
上記課題を解決するため、本発明による、防水下地に固定された多数の固定具の上に敷設された防水シートの上方から、前記固定具を電磁誘導によって加熱することで前記防水シートを前記固定具に溶着する携帯用電磁誘導加熱装置は、充電可能なバッテリと、電磁加熱コイルユニットと、前記バッテリからの電力を用いて前記電磁加熱コイルユニットに電流を供給する給電部と、前記防水シートと前記固定具との溶着箇所または前記溶着箇所の周辺領域あるいはその両方の温度を測定して温度検出信号を出力する温度検出ユニットと、前記温度検出信号に基づいて前記電磁加熱コイルユニットによる誘導加熱の強度及び時間を含む加熱挙動を算定する加熱挙動算定部と、前記加熱挙動に基づいて前記電磁加熱コイルユニットによる電磁誘導加熱を制御する加熱制御部とを備え、前記温度検出ユニットには、前記防水シートの周辺の環境温度を検出して、前記温度検出信号として出力する環境温度検出器が含まれている。
このような本発明による携帯用電磁誘導加熱装置は、まず、バッテリを採用することで、長い電源ケーブルが、電力損失のみならず、作業者の歩行の邪魔となるといった問題を回避している。さらに、防水シートと前記固定具との溶着箇所または溶着箇所の周辺領域あるいはその両方の温度を測定して得られた温度検出信号に基づき誘導加熱の時間だけでなくその強度も算定し、誘導加熱の時間と強度とによって規定される加熱挙動を制御することで、溶着箇所の状況に合わせた最適な加熱挙動を実現している。これにより、加熱に必要な消費電力が低減するので、小型のバッテリを利用することができる。さらには、本発明による携帯用電磁誘導加熱装置を用いて防水シートを固定具に接合する際、固定具が予め野外に晒されていることから、防水シートの表面温度だけでは固定具の温度を推定に誤差が出る可能性がある。このため、固定具の温度の推定精度を高めるため、前記温度検出ユニットには、前記シート材周辺の環境温度を検出する環境温度検出器が含まれている。
【０００７】
さらに、本発明による、加熱対象物を電磁誘導によって加熱する携帯用電磁誘導加熱装置は、充電可能なバッテリと、電磁加熱コイルユニットと、前記バッテリからの電力を用いて前記電磁加熱コイルユニットに電流を供給する給電部と、前記加熱対象物または前記加熱対象物の周辺領域あるいはその両方の温度を測定して温度検出信号を出力する温度検出ユニットと、前記温度検出信号に基づいて前記電磁加熱コイルユニットによる誘導加熱の強度及び時間を含む加熱挙動を算定する加熱挙動算定部と、前記加熱挙動に基づいて前記電磁加熱コイルユニットによる電磁誘導加熱を制御する加熱制御部と、前記電磁加熱コイルユニットを冷却する冷却機構と、前記冷却機構を制御する冷却制御部と、を備え、前記電磁加熱コイルユニットの加熱コイルを載置するとともに前記加熱対象物に向き合う形状を有する基台に冷却通路が形成され、前記冷却機構は冷却ファンを備え、前記冷却ファンからの冷却風は、前記加熱コイルを通り抜けた後に、前記冷却通路に流れ込むように構成されている。
このような本発明による携帯用電磁誘導加熱装置は、まず、バッテリを採用することで、長い電源ケーブルが、電力損失のみならず、作業者の歩行の邪魔となるといった問題を回避している。さらに、加熱対象物または加熱対象物の周辺領域あるいはその両方の温度を測定して得られた温度検出信号に基づき誘導加熱の時間だけでなくその強度も算定し、誘導加熱の時間と強度とによって規定される加熱挙動を制御することで、加熱対象物の状況に合わせた最適な加熱挙動を実現している。これにより、加熱に必要な消費電力が低減するので、小型のバッテリを利用することができる。
さらに、誘導加熱を実行した加熱コイルユニットはかなり高温となるため、加熱処理が終了すると、速やかに冷却することが好ましい。この構成では、加熱過程で温度上昇した加熱コイルユニットを適切に冷却することができる。また、溶融接着作業などの加熱処理では、加熱過程後に加熱対象物を冷却することも重要であるので、この構成では、加熱コイルユニットを通り抜けた冷却風によって加熱対象物に向き合っている基台も冷却され、結果的に加熱対象物を効果的に冷却することもできる。
【０００８】
本発明の好適な実施形態の１つでは、前記加熱挙動は時間経過とともに変化する誘導加熱の強度であり、前記加熱制御部には前記温度検出信号から前記加熱挙動を導出するテーブルが設定されている。温度検出信号に基づき、所定の強度と所定の時間を算定して加熱対象物を誘導加熱することで、加熱時間だけを調整することに比べて、より適正に加熱対象物を誘導加熱することはできるが、さらに誘導加熱時の時間経過とともにその強度を変更することでより適切に加熱対象物を誘導加熱することができる。例えば、加熱当初は、加熱対象物の温度が低いので、大きな加熱強度を適用し、所定時間経過後に加熱強度を一定値または徐々に下げることにより、省電力で要求加熱仕様を達成することが可能となる。
【０００９】
【００１０】
【００１１】
携帯性及び作業性に優れた、本発明による携帯用電磁誘導加熱装置の好適な適用例の１つは、コンクリートなどから成る防水施工面に張られる防水シートの固定作業である。この固定作業では、上面に熱溶着可能な接着層を有する固定具がアンカーボルト等により固定され、その接着層に防水シートを介して電磁加熱コイルユニットの接触面が押し当てられ、電磁誘導作用による固定具の発熱により接着層を溶かして防水シートが接着固定される。したがって、本発明では、前記加熱対象物はシート材と接合する接着層を有する固定具であり、前記電磁加熱コイルユニットが前記シート材を挟んで前記固定具の接着層に対向可能な接触面を有し、前記接触面が前記ハウジングから露出するように構成されているとともに、前記温度検出ユニットには、前記シート材の表面温度を検出する表面温度検出器が含まれている。この構成により、作業者は、携帯用電磁誘導加熱装置を持ち運んで、その接触面を、シート材を挟んで固定具の接着層に載せていくことで、シート材の固定作業が順次遂行され、その際、シート材の温度から推定される固定具の温度及び接着層の温度に基づく適切な加熱挙動で固定具を誘導加熱することができる。
【００１２】
【００１３】
本発明の好適な実施形態の１つでは、前記バッテリと前記電磁加熱コイルユニットと前記給電部と前記制御ユニットとがハウジングを通じて一体的に組みつけられている。この構成では、電磁誘導加熱装置は、単一の装置となり、接続ケーブルが不要となり、長い接続ケーブルが歩行の邪魔をすることによる作業性の低下などの問題が解消される。また、装置全体が一体化されることによって、携帯性が向上する。
【図面の簡単な説明】
【００１４】
【図１】本発明による携帯用電磁誘導加熱装置の基本構造と加熱挙動制御の流れを示す模式図である。
【図２】携帯用電磁誘導加熱装置の構成要素を示す模式図である。
【図３】本発明による携帯用電磁誘導加熱装置の実施形態の１つを示す斜視図である。
【図４】防水シート固定金具を示す斜視図である。
【図５】防水シート固定金具の断面図である。
【図６】防水層の形成状況を示す断面図である。
【図７】携帯用電磁誘導加熱装置の制御系を示す機能ブロック図である。
【図８】別実施形態であるピストル型電磁誘導加熱装置の側面図である。
【図９】別実施形態である携帯用電磁誘導加熱装置の制御系を示す機能ブロック図である。
【発明を実施するための形態】
【００１５】
本発明による携帯用電磁誘導加熱装置の基本構造と制御原理とを図１を用いて説明する。
この実施形態における携帯用電磁誘導加熱装置１００は、この実施形態では円形断面を有する筒体１２の上端を天板１１で閉鎖させたハウジング１を備えている。筒体１２は、２つの隔壁１３ａと１３ｂとによって３つの空間、上から順に、第１空間Ｓ１、第２空間Ｓ２、第３空間Ｓ３に区画されている。一番上の第１空間Ｓ１にはバッテリ２が配置され、中間の第２空間Ｓ２には給電部３と制御ユニット５とが配置され、一番下の第３空間Ｓ３には電磁加熱コイルユニット４と冷却ファンユニット６０とが配置されている。つまり、バッテリ２と給電部３と制御ユニット５と電磁加熱コイルユニット４と冷却ファンユニット６０とがハウジング１によって一体的に組み付けられている。天板１１にはアーチ状のグリップ１９が設けられている。
【００１６】
筒体１２の第１空間Ｓ１を包囲している壁体にはバッテリ２を出し入れするための開口１２ａが設けられており、バッテリ２は開口１２ａに対向する位置の壁面に設けられたバッテリコネクタ部１７に対して着脱自在となっている。
【００１７】
筒体１２の第２空間Ｓ２を包囲している壁体には、第２空間Ｓ２に収納されている給電部３と制御ユニット５とから放出される熱を逃がすために、多数の外気流通口が形成されている。
【００１８】
電磁加熱コイルユニット４と冷却機構６としての冷却ファンユニット６０とは、一体的に組み付けられており、その上端部が隔壁１３ｂに自在継手１４を介して連結されている。したがって、この実施形態では、揺動軸心Ｐｘは全方向の揺動を許す軸心であり、電磁加熱コイルユニット４は、ハウジング１に対して所定角度内において自由な角度姿勢を取ることができる。電磁加熱コイルユニット４は、加熱コイル４０と加熱コイル４０を載せている基台４１とからなり、基台４１は、円板部４１ａと円板部４１ａの中央に立設されているポスト部４１ｂとを有する。ポスト部４１ｂの上端に冷却ファンユニット６０が設けられている。冷却ファンユニット６０は図示されていないモータによってファンが駆動することで、冷却風を加熱コイル４０に与える。さらに、円板部４１ａには冷却ファンユニット６０からの冷却風を通過させる流通路６１が形成されており、シート材７に対する冷却効果を高めている。
【００１９】
円板部４１ａの底面をカバーするようにパッド４３が円板部４１ａに装着されている。
このパッド４３はクッション性を有する材料で構成されており、誘導加熱後のシート材７の加圧を効果的に行う機能を有する。
【００２０】
給電部３は、バッテリ２からの直流電流を高周波電流に変換するインバータ回路などのパワーエレクトロニクス回路を備えている。給電部３で生成された高周波電流が電磁加熱コイルユニット４の加熱コイル４０に供給されることで、接触面４２に対向して位置している加熱対象物ＨＯが電磁加熱される。
【００２１】
給電部３を制御する制御ユニット５は、バッテリ２ないしは給電部３とハウジング１との隙間空間に配置される。図１の例では、バッテリ２の装着部に隣接して配置されている。
【００２２】
電磁加熱コイルユニット４はハウジング１に対して変位可能となるような連結具、（例えば、単なる揺動軸あるいは自在継手）を用いて取り付けることができる。この変位可能な連結により、電磁加熱コイルユニット４の接触面４２が平面に接触した状態でハウジング１が左右方向または前後方向あるいはそれらいずれの方向にも揺動可能となる。接触面４２つまり、電磁加熱コイルユニット４のハウジング１に対する角度が変更可能であることから、ハウジング１の姿勢を微調整しなくても、接触面４２を加熱対象面に沿うように接触させることができる。
【００２３】
電磁加熱コイルユニット４の変位はハウジング１に設けられたストッパによって限定される。ストッパとしては、バネなどの弾性体を用いることが好ましい。なお、図２において点線で示している電磁加熱コイルユニット４の最大揺動姿勢においても、バッテリ２の重心Ｇｂを通る鉛直線であるバッテリの重心線ＧＬが接触面４２内を通過するように設定されている。この場合は、接触面４２を加熱対象面に接当させている状態が、バッテリ２の重さによって安定する効果が得られる。
【００２４】
この実施形態の携帯用電磁誘導加熱装置１００では、その加熱操作姿勢において、バッテリ２の重心Ｇｂを通る鉛直線が電磁加熱コイルユニット４の接触面４２に入るようにバッテリ２と電磁加熱コイルユニット４との位置関係が設定されている。これは、加熱操作姿勢を安定させるためには好都合であるが、この構造に本発明は限定されるわけではなく、バッテリ２の重心Ｇｂを通る鉛直線が接触面４２から離れてもよい。
【００２５】
温度検出ユニット８０として、この実施形態では、シート材７の表面温度を検出する表面温度検出器８０１とシート材７周辺の環境温度を検出する環境温度検出器８０２とがハウジング１に設けられたブラケットに装備されている。表面温度検出器８０１と環境温度検出器８０２とによる検出信号は温度検出信号として制御ユニット５に送られる。さらに、誘導加熱の始動機能を有する操作スイッチ８１がハウジング１のグリップ１９周辺に設けられている。
【００２６】
操作者が、携帯用電磁誘導加熱装置１００を加熱対象物ＨＯの所定の位置にセットし、操作スイッチ８１を操作することで誘導加熱処理がスタートする。まず、温度検出ユニット８０から送られてくる温度検出信号に基づいて、制御ユニット５に構築されている加熱挙動算定部５２が加熱時間と加熱強度とからなる加熱挙動を算定し、同様に制御ユニット５に構築されている加熱制御部５３に与える。加熱制御部５３は、与えられた加熱挙動に基づいて電磁加熱コイルユニット４による電磁誘導加熱を実現すべく給電部３を制御する。
【００２７】
誘導加熱の後に強制冷却が必要な場合は、冷却制御部５４から冷却機構６に冷却制御信号が与えられる。これにより、冷却機構６は、例えば、冷却ファンを駆動して、加熱コイル４０及び加熱対象物ＨＯを冷却する。
【００２８】
次に、本発明による携帯用電磁誘導加熱装置の具体的な適用例の１つを説明する。ここでは、携帯用電磁誘導加熱装置は、屋上などにおける防水下地に固定された固定具の上面に付与されている接着層を、電磁誘導による固定具への加熱によって溶融させて、防水シートを固定具に接着固定する際に用いられる。
【００２９】
図３は、防水シートの敷設前の建物の屋上スラブを示す斜視図である。この斜視図は、携帯用電磁誘導加熱装置１００を用いて、防水下地となる鉄筋コンクリート製のスラブ本体（防水下地）の上に配設された固定具７０に防水シートであるシート材７を接着させる作業を示している。この携帯用電磁誘導加熱装置１００は、図１を用いて説明された基本構造を採用している。
【００３０】
このスラブ本体は、屋上部分のスラブを想定している。しかしながら、鉄筋コンクリート構造のスラブの他、ＡＬＣパネルを敷き並べて形成したスラブや、デッキプレートや金属折板とコンクリートを組み合わせて形成したスラブや、さらには、それらの上に断熱層を積層させたもの等、様々な形態のスラブに、本発明は適用可能である。スラブ本体は、固定具７０をアンカーボルトによって固定できることが好ましい。
【００３１】
前記固定具７０は、例えば、図３と図４と図５とに示すように、直径５０〜１００ｍｍ程度のステンレス鋼製円板の上面に、防水シートに対する接着材として溶けて接着性を発揮するポリエステル樹脂等の熱可塑性合成樹脂からなる面状のホットメルト接着層（以下単に接着層と略称する）７１を被覆したワッシャ形状体である。固定具７０はその中心に座繰り凹部７２、及び、その底部分にアンカーボルト７９(図６参照)の取付孔７４が形成され、固定具７０の上面は、座繰り凹部７２の周りに所定幅を隔てて環状凹部７３が形成されている。固定具７０は、スラブ本体上に、縦横に所定の間隔を開けた各位置に配置され、取付孔７４を通じてねじ固定される。
なお、固定具７０は、板金をプレス加工して図のような起伏形状に成形されており、前記座繰り凹部７２や環状凹部７３等の凹部を形成することによって、平板のままより断面二次モーメントが増加し、薄板であっても高い強度を得ることができる。
【００３２】
シート材７は、例えば、ＰＶＣシートによって構成され、工場で所定幅寸法の長尺体防水シートを巻き取ってロール体を形成しておき、そのロール体を現場で広げながら配置し、隣接する各シート材７の側縁部どうしを接着することで大面積の防水シートを作り出すことができる。勿論、予め、敷設する対象面積に合わせて一体品の防水シートを形成しておくものであってもよいし、また、素材に関しても、ＰＶＣ以外にも、ゴムやＴＰＥ（サーモ・プラスチック・エラストマ）製のシート、又は、その他の素材からなる防水シートであってもよい。
【００３３】
図５に示すように、スラブ本体へのシート材７の固定は、まず多数の固定具７０の上にシート材７を被せる（図６（ａ）参照）。次いで、シート材７の上方から、携帯用電磁誘導加熱装置１００を固定具７０の真上となる位置にセットして、固定具７０に対して誘導加熱を行う（図３参照）。固定具７０を加熱することによって、接着層７１が溶融し、固定具７０の上面とシート材７の下面とが溶融した接着剤を介して密着し、その後冷却しながら加圧することで、固定具７０とシート材７とが、結果的にはシート材７とスラブ本体とが固定される（図６（ｂ）参照）。
【００３４】
図７に示すように、制御ユニット５は、本発明に関係する機能部として、検出信号評価部５１、加熱挙動算定部５２、加熱制御部５３、冷却制御部５４を備えている。これらの機能は、実質的にはプログラムの起動によって実現する。また、制御ユニット５には、入出力インターフェース５０を介して種々の外部機器と接続されている。外部機器としては、メモリデバイス５５、データ通信部５６、報知部５７、温度検出ユニット８０、センサ・スイッチ群８、ＧＰＳユニット８００が接続されている。さらに、制御ユニット５は、バッテリ２に内蔵されているコントローラや給電部３とも制御信号等の信号を伝達可能に接続されている。
【００３５】
温度検出ユニット８０は、この実施形態では、シート材７の表面温度を検出する表面温度検出器８０１とシート材７周辺の環境温度を検出する環境温度検出器８０２とを含んでおり、これらの温度検出信号は制御ユニット５に送られる。表面温度検出器８０１と環境温度検出器８０２とは、ハウジング１に設けられたブラケットに装備されている。センサ・スイッチ群８は、この携帯用電磁誘導加熱装置１００に組み込まれているセンサやスイッチの総称であるが、本発明に特に関係するものとして、操作スイッチ８１、感圧スイッチ８２、位置検出センサ８３が挙げられる。操作スイッチ８１は、ハウジング１のグリップ１９周辺に設けられ、誘導加熱の始動機能を有する。感圧スイッチ８２は、円板部４１ａとパッド４３との間に設けられ、誘導加熱後の加圧作業時のシート材７に対する押し付け圧を検出する。位置検出センサ８３は、加熱コイル４０の誘導加熱有効範囲に固定具７０が正確に位置しているかどうかを検出するものであり、この実施形態では、固定具７０を検出する、好ましくは３つ以上の磁気センサである。ＧＰＳユニット８００は、ＧＰＳ衛星などの衛星からの電波を検知して携帯用電磁誘導加熱装置１００の現在位置（方位座標）を算出して、制御ユニット５に与える。
【００３６】
制御ユニット５の検出信号評価部５１は、センサ・スイッチ群８、温度検出ユニット８０、ＧＰＳユニット８００から入力された信号を評価して、その評価信号を必要とする機能部に送り出す。例えば、温度検出信号は温度検出信号として加熱挙動算定部５２や加熱制御部５３に送られる。感圧スイッチ８２や位置検出センサ８３からの信号は、それぞれに設定されている基準範囲と比較され、基準範囲から外れている場合は、報知部５７を通じて視覚的警報や聴覚的警報が与えられる。
【００３７】
加熱挙動算定部５２は、加熱時間算定部５２１と加熱強度算定部５２２と挙動導出テーブル５２３を含んでいる。加熱時間算定部５２１は、シート材７の表面温度と環境温度との情報を含む温度検出信号から挙動導出テーブル５２３を用いて加熱時間を算定する。加熱強度算定部５２２は、温度検出信号から挙動導出テーブル５２３を用いて加熱強度（誘導加熱の強さ）を算定する。その際、加熱時間を単位時間に区切って、その単位時間毎に加熱強度を算定すれば、経時的な加熱強度曲線が得られる。この加熱強度曲線に基づく加熱制御指令は加熱制御部５３に転送される。加熱制御部５３は、受け取った加熱制御指令に基づいて、制御信号を給電部３に与える。給電部３は、受け取った制御信号に基づいて、固定具７０において適切な加熱挙動が実現するようにパワーエレクトロ回路（インバータ回路や昇圧回路など）を継時的に制御する。
【００３８】
冷却制御部５４は、誘導加熱の終了後、冷却ファンユニット６０に冷却制御信号を与え、冷却ファンを駆動して、加熱コイル４０及びシート材７を冷却する。この冷却の間、パッド４３を介して固定具７０の上方に位置するシート材７を押し付けることで、固定具７０とシート材７との接着固定が良好に促進される。
【００３９】
メモリデバイス５５には、誘導加熱を用いた各固定具７０に対する接着固定に関する作業データが書き込まれる。データ通信部５６はオプショナルな機能であり、作業データなどの内部データを外部に送信する機能や外部から送信されてきたデータを受信するために用いられる。
【００４０】
図８には、本発明による携帯用電磁誘導加熱装置の別実施形態として、超小型のピストル型電磁誘導加熱装置が示されている。ハウジング１はＬ字形に屈曲した筒体であり、その一端側に充電式のバッテリ２が配置され、その他端側に電磁加熱コイルユニット４が配置されている。電磁加熱コイルユニット４の先端、つまり加熱対象物ＨＯに向き合う面にはパッド４３が装着されている。ハウジング１の中間部には、片手で握りやすい形状のグリップ部１９０が形成され、グリップ部１９０を握った手の指で操作しやすい位置に操作スイッチ８１として機能するトリガーが設けられている。グリップ部１９０の内部には制御ユニット５が配置され、制御ユニット５と電磁加熱コイルユニット４との間に給電部３が配置されている。グリップ部１９０の周辺に報知部５７として機能するフラットパネルが設けられており、種々の情報が表示可能である。さらに、メモリデバイス５５として機能する着脱可能な半導体メモリカードも装着されている。なお、図８では図示されていないが、その他種々のセンサ・スイッチ群８や温度検出ユニット８０、さらにはＧＰＳユニット８００を装備することも可能である。片手操作を可能にするため、バッテリ２には軽量で小型の高性能バッテリが用いられているが、電磁誘導加熱を長時間続けるためにはバッテリ容量が不足するので、作業者は常時複数の予備バッテリ２を持参し、バッテリ交換しながら作業を進める。
【００４１】
〔その他の実施形態〕（１）上述した実施形態では、加熱挙動算定部５２は、温度検出ユニット８０から出力される表面温度と環境温度とを含む温度検出信号を入力パラメータとして加熱時間と加熱強度とによって規定される加熱挙動を算定している。これに代えて、入力パラメータとして表面温度だけ、あるいは環境温度だけを用いてもよい。また、図９で示すように、より正確に固定具７０の温度を推定することができるように、入力パラメータとして表面温度と環境温度とを含む温度検出信号だけでなく、ＧＰＳユニット８００から出力される地域データや時刻データを含むＧＰＳデータも採用してもよい。このＧＰＳデータにより、地域、季節、時間帯などを加熱挙動の算定に利用することができる。
（２）上述した実施形態では、バッテリ２と給電部３と制御ユニット５とは電磁加熱コイルユニット４と冷却ファンユニット６０とがハウジング１によって一体的に組み付けられている。これに代えて、電源としての別体とし、電磁加熱コイルユニット４や給電部３などを組み付けているハウジング１から分離して、バッテリ２から給電部３にケーブルを用いて接続してもよい。さらには、バッテリ２と給電部３とを一体構成として、給電部３と電磁加熱コイルユニット４とをケーブルで接続してもよい。
（３）図７で示された制御ユニット５の各機能部は、説明目的で便宜上区分けされたものであり、任意の複数の機能部を統合してもよいし、各機能部をさらに区分けしてもよい。
【産業上の利用可能性】
【００４２】
本発明は、磁気誘導加熱を利用する携帯用加熱装置に適用可能である。
【符号の説明】
【００４３】
１        ：ハウジング
２        ：バッテリ
３        ：給電部
４        ：電磁加熱コイルユニット
４０      ：加熱コイル
４１      ：基台
５        ：制御ユニット
５１      ：検出信号評価部
５２      ：加熱挙動算定部
５３      ：加熱制御部
５４      ：冷却制御部
６        ：冷却機構
６０      ：冷却ファンユニット
７        ：シート材
７０      ：固定具
７１      ：接着層
８        ：センサ・スイッチ群
８０      ：温度検出ユニット
８１      ：操作スイッチ
８２      ：感圧スイッチ
８３      ：位置検出センサ
５２１    ：加熱時間算定部
５２２    ：加熱強度算定部
５２３    ：挙動導出テーブル
８００    ：ＧＰＳユニット
８０１    ：表面温度検出器
８０２    ：環境温度検出器
１００    ：携帯用電磁誘導加熱装置
ＨＯ      ：加熱対象物
【図１】
0006490389.tif 000002
【図２】
0006490389.tif 000003
【図３】
0006490389.tif 000004
【図４】
0006490389.tif 000005
【図５】
0006490389.tif 000006
【図６】
0006490389.tif 000007
【図７】
0006490389.tif 000008
【図８】
0006490389.tif 000009
【図９】
0006490389.tif 000010